(57)【要約】【課題】傘を開くときに人を怪我させることを防ぐ傘骨構造を提供する。【解決手段】傘骨構造は、支持部材１、元親骨２、先親骨３及びくび曲がり骨４を備える。支持部材１は、中棒１１を有する。中棒１１の一端には、ハンドル１２が設けられる。元親骨２は、中棒１１の他端に枢着され、中央部分近くに受骨２１が枢着される。受骨２１の他端は、中棒１１上に可動可能に取り付けられ、受骨２１の他端が中棒１１上で直線移動が可能である。受骨２１上には、元親骨２に隣接した位置に接続骨２２が枢着される。先親骨３は、元親骨２及び接続骨２２の他端に枢着される。先親骨３上には、接続部材３２を介して引き線３１が取り付けられる。引き線３１の一端は、元親骨２上に枢着される。くび曲がり骨４は、先親骨３及び引き線３１の他端に枢着される。くび曲がり骨４の末端には、露先４１が設けられる。露先４１の外側は、円弧状に成形される。【選択図】図１
0003227012.tif 000002
【実用新案登録請求の範囲】
【請求項１】
支持部材、元親骨、先親骨及びくび曲がり骨を備えた傘骨構造であって、
前記支持部材は、中棒を有し、前記中棒の一端には、ハンドルが設けられ、
前記元親骨は、前記中棒の他端に枢着され、中央部分近くに受骨が枢着され、前記受骨の他端は、前記中棒上に可動可能に取り付けられ、前記受骨の他端が前記中棒上で直線移動が可能であり、前記受骨上には、前記元親骨に隣接した位置に接続骨が枢着され、
前記先親骨は、前記元親骨及び前記接続骨の他端に枢着され、前記先親骨上には、接続部材を介して引き線が取り付けられ、前記引き線の一端は、前記元親骨上に枢着され、
前記くび曲がり骨は、前記先親骨及び前記引き線の他端に枢着され、前記くび曲がり骨の末端には、露先が設けられ、前記露先の外側は、円弧状に成形され、
前記元親骨と前記受骨とが枢着される位置と、前記受骨と前記接続骨とが枢着される位置とは異なり、前記元親骨と前記先親骨とが枢着される位置と、前記元親骨と前記引き線とが枢着される位置と、前記接続骨と前記先親骨とが枢着される位置とは異なり、前記先親骨と前記くび曲がり骨とが枢着される位置と、前記引き線と前記くび曲がり骨とが枢着される位置とは異なり、各骨間が密に接合されているため、スムーズかつ確実に折り畳み可能であることを特徴とする、
傘骨構造。
【請求項２】
前記露先は、前記くび曲がり骨の末端に接続された凸接部と、前記凸接部の外側に接続されたハンマーヘッド部と、を有し、前記ハンマーヘッド部は、外方向に突出した円弧状表面を有することを特徴とする請求項１に記載の傘骨構造。
【請求項３】
前記くび曲がり骨は、くび曲がり部材と少なくとも１つのくび曲がり杆とに分けられ、前記くび曲がり部材の中央位置は、前記先親骨の他端に枢着され、前記くび曲がり部材の一端は、前記引き線の他端に枢着され、前記くび曲がり部材の他端は、前記くび曲がり杆にそれぞれ枢着され、前記くび曲がり杆の末端には、露先がそれぞれ設けられ、前記くび曲がり杆の個数が２本以上である場合、各前記くび曲がり杆間には、所定の夾角が形成され、２本の前記くび曲がり杆の末端が外方に開放した状態にあることを特徴とする請求項１に記載の傘骨構造。
【考案の詳細な説明】
【技術分野】
【０００１】
本考案は、傘骨構造に関し、特に、雨傘の傘面を支える骨構造に関する。
【背景技術】
【０００２】
傘は、遮光、紫外線カット、風除け、雨除けなどの様々な機能を有し、携帯に便利な折り畳み傘は、多くの消費者により広く愛好されている。
【０００３】
一般の折り畳み傘は、尖って硬い石突を有するため、傘を開くときに人を怪我させ易く、安全性に問題があった。
【０００４】
そのため、傘を安全に使用できるように、石突の構造を改良し、石突の外表面を円弧状に成形し、傘骨を結合する改良を行い、傘面積の縁部の支点を減らすことにより、傘面の縁部を円くし、上述したような危険な状況が発生しない傘骨構造が求められていた。
【考案の概要】
【考案が解決しようとする課題】
【０００５】
本考案の課題は、傘を開くときに人を怪我させることを防ぐ傘骨構造を提供することにある。
【課題を解決するための手段】
【０００６】
上記課題を解決するために、本考案の第１の形態によれば、支持部材、元親骨、先親骨及びくび曲がり骨を備えた傘骨構造であって、前記支持部材は、中棒を有し、前記中棒の一端には、ハンドルが設けられ、前記元親骨は、前記中棒の他端に枢着され、中央部分近くに受骨が枢着され、前記受骨の他端は、前記中棒上に可動可能に取り付けられ、前記受骨の他端が前記中棒上で直線移動が可能であり、前記受骨上には、前記元親骨に隣接した位置に接続骨が枢着され、前記先親骨は、前記元親骨及び前記接続骨の他端に枢着され、前記先親骨上には、接続部材を介して引き線が取り付けられ、前記引き線の一端は、前記元親骨上に枢着され、前記くび曲がり骨は、前記先親骨及び前記引き線の他端に枢着され、前記くび曲がり骨の末端には、露先が設けられ、前記露先の外側は、円弧状に成形され、前記元親骨と前記受骨とが枢着される位置と、前記受骨と前記接続骨とが枢着される位置とは異なり、前記元親骨と前記先親骨とが枢着される位置と、前記元親骨と前記引き線とが枢着される位置と、前記接続骨と前記先親骨とが枢着される位置とは異なり、前記先親骨と前記くび曲がり骨とが枢着される位置と、前記引き線と前記くび曲がり骨とが枢着される位置とは異なり、各骨間が密に接合されているため、スムーズかつ確実に折り畳むことを特徴とする傘骨構造が提供される。
【０００７】
前記露先は、前記くび曲がり骨の末端に接続された凸接部と、前記凸接部の外側に接続されたハンマーヘッド部と、を有し、前記ハンマーヘッド部は、外方向に突出した円弧状表面を有することが好ましい。
【０００８】
前記くび曲がり骨は、くび曲がり部材と少なくとも１つのくび曲がり杆とに分けられ、前記くび曲がり部材の中央位置は、前記先親骨の他端に枢着され、前記くび曲がり部材の一端は、前記引き線の他端に枢着され、前記くび曲がり部材の他端は、前記くび曲がり杆にそれぞれ枢着され、前記くび曲がり杆の末端には、露先がそれぞれ設けられ、前記くび曲がり杆の個数が２本以上である場合、各前記くび曲がり杆間には、所定の夾角が形成され、２本の前記くび曲がり杆の末端が外方に開放した状態にあることが好ましい。
【図面の簡単な説明】
【０００９】
【図１】本考案の一実施形態に係る傘骨構造を示す側面図及び拡大図である。
【図２】本考案の一実施形態に係る傘骨構造を示す上視図である。
【考案を実施するための形態】
【００１０】
本考案の他の技術内容、特徴及び効果について、以下、図面を参照しながら好適な実施形態の詳細な説明で明らかにする。
【００１１】
図１を参照する。
図１は、本考案の一実施形態に係る傘骨構造を示す側面図及び拡大図である。本考案の一実施形態に係る傘骨構造は、少なくとも支持部材１、元親骨２、先親骨３及びくび曲がり骨４から構成されてなる。
【００１２】
支持部材１は、中棒１１を有する。中棒１１の一端には、ハンドル１２が設けられる。
【００１３】
元親骨２は、中棒１１の他端に枢着され、中央部分近くに受骨２１が枢着される。受骨２１の他端は、中棒１１上に可動可能に取り付けられ、受骨２１の他端が中棒１１上で直線移動が可能であり、受骨２１上には元親骨２に隣接した位置に接続骨２２が枢着される。
【００１４】
先親骨３は、元親骨２及び接続骨２２の他端に枢着される。先親骨３上には、接続部材３２を介して引き線３１が取り付けられている。接続部材３２は、引き線３１を使用するときの安定性を向上させることができる。引き線３１の一端は、元親骨２上に枢着される。
【００１５】
くび曲がり骨４は、先親骨３及び引き線３１の他端に枢着される。くび曲がり骨４の末端には、露先４１が設けられる。露先４１は、くび曲がり骨４の末端に接続された凸接部４１１と、凸接部４１１の外側に接続されたハンマーヘッド部４１２と、を有する。ハンマーヘッド部４１２は、外方向に突出した円弧状表面４１３を有する。
【００１６】
元親骨２と受骨２１とが枢着される位置と、受骨２１と接続骨２２とが枢着される位置とは異なる。元親骨２と先親骨３とが枢着される位置と、元親骨２と引き線３１とが枢着される位置と、接続骨２２と先親骨３とが枢着される位置とは異なる。先親骨３とくび曲がり骨４とが枢着される位置と、引き線３１とくび曲がり骨４とが枢着される位置とは異なる。本実施形態の傘骨構造の各骨間が簡単な方式で密に接合されているため、傘骨をスムーズかつ確実に折り畳むことができる。
【００１７】
図１を再び参照する。
図１に示すように、中棒１１は、上ろくろ１１１及び下ろくろ１１２を有する。上ろくろ１１１は、中棒１１の頂端に取り付けられ、下ろくろ１１２は、中棒１１上上に可動可能に取り付けられる。上ろくろ１１１が元親骨２に枢着され、下ろくろ１１２が受骨２１に枢着され、受骨２１の他端が下ろくろ１１２を介して中棒１１上で直線移動が可能である。このため、下ろくろ１１２を上方へ押動して上ろくろ１１１へ向かって移動させ、下ろくろ１１２が中棒１１に沿って上方へ移動すると、元親骨２、先親骨３及びくび曲がり骨４が外方へ伸びて、傘骨構造を開くことができる。
接続部材３２を先親骨３上で摺動させると、引き線３１が規則正しく伸びる。ハンドル１２は、下ろくろ１１２を制御する制御スイッチ１３を有し、制御スイッチ１３を押圧すると、下ろくろ１１２が上ろくろ１１１へ向かって移動し、傘が自動的に開く。
【００１８】
図１を再び参照する。
図１に示すように、ハンドル１２は、ゴムからなる。ハンドル１２の外側には、ハンドル１２を手で持つときに滑らないように、複数個の半球状の滑り止め凸部１４が設けられている。
【００１９】
図１を再び参照する。
図１に示すように、接続骨２２上には、受骨２１に隣接した位置にフック部２３が設けられる。フック部２３上には、弾性部材２４が嵌設される。弾性部材２４は、ばねでもよく、弾性部材２４の他端が元親骨２上に固着されているため、傘骨を折畳むときに、蓄勢により復位する付勢力が弾性部材２４に発生し、傘骨を開くときに、緩衝の弾力を提供し、傘骨を安定かつ確実に使用することができる。
【００２０】
図１を再び参照する。
図１に示すように、くび曲がり骨４は、くび曲がり部材４２と少なくとも１つのくび曲がり杆４３とに分けられる。くび曲がり部材４２の中央位置は、先親骨３の他端に枢着される。くび曲がり部材４２の一端は、引き線３１の他端に枢着される。くび曲がり部材４２の他端は、くび曲がり杆４３にそれぞれ枢着される。各くび曲がり杆４３の末端には、露先４１がそれぞれ設けられ、くび曲がり骨４がモジュール化されているため、全体を組み立てて生産することができ、メンテナンス及び交換を容易に行うことができる。
【００２１】
図１及び図２を参照する。
図１及び図２に示すように、本実施形態のくび曲がり杆４３の個数は２本である。２本のくび曲がり杆４３間には、所定の夾角Ａが形成され、２本のくび曲がり杆４３の末端が外方に拡散した状態にあるため、複数のくび曲がり杆４３により傘骨の構造強度を高め、各くび曲がり杆４３の末端が外方に拡散した状態にある。このため、傘面５を配設した後、各くび曲がり杆４３の末端は、傘面５の縁部に多くの支点が形成され、傘面５の縁部を円くし、各露先４１の円弧状表面４１３は、傘面５の縁部が尖端に成形されることを防ぎ、さらには傘面５の縁部により身体を傷つけることを防ぎ、製品を安全に使用することができる。
【００２２】
図２を再び参照する。
図２に示すように、本実施形態の傘骨構造には、傘面５が結合されて雨傘構造が形成され、傘面５の縁部には、複数の被覆領域５１が等間隔で縫着されている。各被覆領域５１は、露先４１が露出されないように各露先４１を覆っているため、外観が美観を有する。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１  支持部材
２  元親骨
３  先親骨
４  くび曲がり骨
５  傘面
１１  中棒
１２  ハンドル
１３  制御スイッチ
１４  滑り止め凸部
２１  受骨
２２  接続骨
２３  フック部
２４  弾性部材
３１  引き線
３２  接続部材
４１  露先
４２  くび曲がり部材
４３  くび曲がり杆
５１  被覆領域
１１１  上ろくろ
１１２  下ろくろ
４１１  凸接部
４１２  ハンマーヘッド部
４１３  円弧状表面
Ａ  夾角
【図１】
0003227012.tif 000003
【図２】
0003227012.tif 000004